(57)【要約】【課題】多くの労力や時間を要することなく紙葉類をポケットの内部へ挿入することのできる紙葉類収容ポケットを提供する。【解決手段】紙葉類収容ポケット１０は、矩形状の表側シート部１１と、表側シート部の二つの短辺のうち一方の短辺に沿って表側シート部の裏面側に折り返された第１の折り返し片部１２と、表側シート部１１の二つの長辺のうち一方の長辺に隣接して形成された第２の折り返し片部１３と、表側シート部１１の二つの長辺のうち他方の長辺に沿って表側シート部１１の裏面側に折り返されて第１の折り返し片部１２に貼着された裏側シート部１４とからなる。第２の折り返し片部１３は、第２の折り返し片部１３と連接する表側シート部の長辺側から表側シート部１１と裏側シート部１４との間に紙葉類を挿入した後、表側シート部１１の裏面側に折り返されて裏側シート部１４と貼着される。【選択図】図２
2006069590.tif 000002
【特許請求の範囲】
【請求項１】
紙葉類を収容するための紙葉類収容ポケットであって、矩形状に形成された表側シート部と、この表側シート部の二つの短辺のうち一方の短辺を折り目として前記表側シート部の裏面側に折り返された第１の折り返し片部と、前記表側シート部の二つの長辺のうち一方の長辺に連続して形成された第２の折り返し片部と、前記表側シート部の二つの長辺のうち他方の長辺を折り目として前記表側シート部の裏面側に折り返されて前記第１の折り返し片部に貼着された裏側シート部とからなり、
前記第２の折り返し片部は、前記表側シート部の二つの長辺のうち前記第２の折り返し片部が連続する長辺側から前記表側シート部と前記裏側シート部との間に紙葉類を挿入した後、前記表側シート部の二つの長辺のうち一方の長辺を折り目として前記表側シート部の裏面側に折り返されて前記裏側シート部に貼着されることを特徴とする紙葉類収容ポケット。
【請求項２】
請求項１記載の紙葉類収容ポケットにおいて、前記表側シート部に開口窓を設けるとともに、前記開口窓を透視可能に閉塞する透明フィルムを前記表側シート部の裏面部に貼着したことを特徴とする紙葉類収容ポケット。
【発明の詳細な説明】
【技術分野】
【０００１】
本発明は、例えば災害倍額保障などの保険内容説明書を顧客へダイレクトメールする場合や商品の保証書類をその商品と共にダンボール箱などの箱体内に収容する場合などに用いられる紙葉類収容ポケットに関する。
【背景技術】
【０００２】
生命保険会社や火災保険会社などでは、災害倍額保障などの保険内容説明書を顧客へダイレクトメールする場合、災害倍額保障加入同意書などの個人書類を挨拶状やパンフレットなどの一般書類と区別する手段として、例えば図９に示すような洋形封筒タイプの紙葉類収容ポケット１を使用し、この紙葉類収容ポケット１の中に災害倍額保障加入同意書などの紙葉類を収容してダイレクトメールを送ることがある。この場合、災害倍額保障加入同意書などの紙葉類が収容された紙葉類収容ポケットを封筒に封入して封緘する作業は、例えば特開２００２−２９３３０４号公報の図１０に示されるような封入封緘機を用いて行なわれている。
【発明の開示】
【発明が解決しようとする課題】
【０００３】
しかしながら、上記公報に記載の封入封緘機は封筒の封緘片部を押えローラなどの押え部材で押え付けて封筒に封入物を封入する構成であるため、紙葉類収容ポケット１の折り返し片部１ａ（図９参照）を封入封緘機の押え部材で押え付けることができない場合には、紙葉類収容ポケットに紙葉類を挿入する作業と紙葉類収容ポケットを封筒に封入する作業とを１台の機械で行なうことが不可能となる。このため、紙葉類収容ポケットに紙葉類を挿入する際には、従来、手作業で紙葉類を紙葉類収容ポケットに挿入しているため、紙葉類収容ポケットへの紙葉類の挿入作業に多くの労力と時間を要していた。
本発明は、このような問題点に着目してなされたものであり、多くの労力や時間を要することなく紙葉類をポケットの内部へ挿入することのできる紙葉類収容ポケットを提供することを目的とするものである。
【課題を解決するための手段】
【０００４】
上記の目的を達成するために、請求項１の発明に係る紙葉類収容ポケットは、矩形状に形成された表側シート部と、この表側シート部の二つの短辺のうち一方の短辺を折り目として前記表側シート部の裏面側に折り返された第１の折り返し片部と、前記表側シート部の二つの長辺のうち一方の長辺に連続して形成された第２の折り返し片部と、前記表側シート部の二つの長辺のうち他方の長辺を折り目として前記表側シート部の裏面側に折り返されて前記第１の折り返し片部に貼着された裏側シート部とからなり、前記第２の折り返し片部が、前記表側シート部の二つの長辺のうち前記第２の折り返し片部が連続する長辺側から前記表側シート部と前記裏側シート部との間に紙葉類を挿入した後、前記表側シート部の二つの長辺のうち一方の長辺を折り目として前記表側シート部の裏面側に折り返されて前記裏側シート部に貼着されることを特徴とする。
【０００５】
請求項２の発明に係る紙葉類収容ポケットは、請求項１記載の紙葉類収容ポケットにおいて、前記表側シート部に開口窓を設けるとともに、前記開口窓を透視可能に閉塞する透明フィルムを前記表側シート部の裏面部に貼着したことを特徴とする。
【発明の効果】
【０００６】
本発明に係る紙葉類収容ポケットによれば、表側シート部の二つの長辺のうち第２の折り返し片部と連接する長辺側から紙葉類を表側シート部と裏側シート部との間に挿入することが可能となる。これにより、紙葉類収容ポケットへの紙葉類の挿入作業と封筒への紙葉類収容ポケットの封入作業を封入封緘機などの一台の機械で行なうことができるので、多くの労力や時間を要することなく紙葉類収容ポケットに紙葉類を挿入することができる。
【発明を実施するための最良の形態】
【０００７】
以下、本発明に係る紙葉類収容ポケットの一実施形態を、図１〜図３を参照して説明する。
図１は、本発明に係る紙葉類収容ポケットの一実施形態を示す正面図、図２は図１に示す紙葉類収容ポケットの背面図、図３はその展開図である。図１〜図３において、符号１０は本発明の一実施形態に係る紙葉類収容ポケットを示し、この紙葉類収容ポケット１０は印刷用紙などを図３に示すような形状に裁断して形成されている。また、紙葉類収容ポケット１０は表側シート部１１、第１の折り返し片部１２、第２の折り返し片部１３および裏側シート部１４から構成されている。
【０００８】
ここで、表側シート部１１は矩形状に形成されており、台形形状をなす第１の折り返し片部１２は、表側シート部１１の互いに平行な二つの短辺１１ａ，１１ｂ（図３参照）のうち一方の短辺１１ａに沿って表側シート部１１の裏面側に折り返されている。また、表側シート部１１は長方形状の開口窓１５を所定位置に有しており、表側シート部１１の裏面部には、開口窓１５を透視可能に閉塞する透明フィルム１６（図３参照）が糊などによって貼着されている。
【０００９】
第２の折り返し片部１３は、第１の折り返し片部１２と同様に、台形形状をなしており、この第２の折り返し片部１３の底辺部は表側シート部１１の互いに平行な二つの長辺１１ｃ，１１ｄのうち一方の長辺１１ｃと連接している。つまり、第２の折り返し片部１３は表側シート部１１の二つの長辺１１ｃ，１１ｄのうち一方の長辺１１ｃに連続して形成されている。
【００１０】
裏側シート部１４は表側シート部１１の互いに平行な二つの長辺１１ｃ，１１ｄのうち他方の長辺１１ｄに沿って表側シート部１１の裏面側に折り返されており、この裏側シート部１４の裏面部には、前述した第１の折り返し片部１２が糊などによって貼着されている。また、裏側シート部１４は表側シート部１１の二つの短辺１１ａ，１１ｂのうち一方の短辺１１ｂと重なり合う短辺１４ａを有しており、これら短辺１１ａ，１４ａの中央部には、紙葉類を引き出すための半円形状の切欠部１７が形成されている。
【００１１】
次に、このような紙葉類収容ポケットに災害倍額保障加入同意書などの紙葉類を挿入する場合の手順と災害倍額保障加入同意書などの紙葉類が収容された紙葉類収容ポケットをパンフレットなどの一般書類と共にダイレクトメール用の封筒に封入する場合の手順を、図４〜図８を参照して説明する。
災害倍額保障加入同意書などの紙葉類を紙葉類収容ポケットに封入封緘機などの機械を用いて挿入する場合は、図４及び図５に示すように、先ず、紙葉類収容ポケット１０の第１の折り返し片部１２を表側シート部１１の裏面側に折り返した後、裏側シート部１４を表側シート部１１の裏面側に折り返して第１の折り返し片部１２と裏側シート部１４とを接着する。次に、図５に示す紙葉類収容ポケット１０を不図示の封入封緘機にセットし、図６に示すように、表側シート部１１と裏側シート部１４との間に紙葉類Ｐを矢印方向から挿入する。このとき、第２の折り返し片部１３と裏側シート部１４とは未だ接着されていないので、図６に示す矢印方向すなわち表側シート部１１の二つの長辺１１ａ，１１ｂのうち第２の折り返し片部１３と連接する長辺側から紙葉類Ｐを表側シート部１１と裏側シート部１４との間に挿入することが可能となる。
【００１２】
このようにして、表側シート部１１と裏側シート部１４との間に紙葉類Ｐを挿入した後は、図７に示すように、第２の折り返し片部１３を表側シート部１１の裏面側に折り返し、表側シート部１１の裏面側に折り返された裏側シート部１４に第２の折り返し片部１３を糊などで接着する。その後、図８に示すように、災害倍額保障加入同意書などの紙葉類が収容された紙葉類収容ポケット１０をパンフレットなどの一般書類１８と共にダイレクトメール用の封筒１９に封入封緘機などの機械で封入し、封筒１９を封緘することにより、紙葉類収容ポケット１０が封入されたダイレクトメールを得ることができる。
【００１３】
上述したように、本発明の一実施形態では、表側シート部１１の二つの長辺１１ａ，１１ｂのうち第２の折り返し片部１３と連接する長辺側から紙葉類Ｐを表側シート部１１と裏側シート部１４との間に挿入することが可能となるので、紙葉類収容ポケットへの紙葉類の挿入作業と封筒への紙葉類収容ポケットの封入作業を封入封緘機などの１台の機械で行なうことができる。したがって、多くの労力や時間を要することなく紙葉類収容ポケットに紙葉類を挿入することができる。
【００１４】
また、上述した本発明の一実施形態では、表側シート部１１及び裏側シート部１４の互いに重なり合う短辺の中央部に半円形状の切欠部１７を設けたことにより、表側シート部１１と裏側シート部１４との間に挿入された紙葉類を容易に引き出すことができる。
さらに、上述した本発明の一実施形態では、表側シート部１１の所定位置に開口窓１５を設けるとともに、開口窓１５を閉塞する透明フィルム１６を表側シート部１１の裏面部に貼着したことにより、紙葉類収容ポケットの内容物を外部から容易に確認することができる。
【００１５】
なお、上述した実施の形態では裏側シート部１４が台形状に形成されたものを例示したが、裏側シート部１４は表側シート部１１と同様に矩形状に形成されていてもよい。また、上述した実施の形態では切欠部１７の形状を半円形状としたが、これに限られるものではなく、例えばＶ字形やＵ字形の形状であってもよい。
さらに、上述した実施の形態では開口窓１５の形状を角形としたが、これに限られるものではなく、例えば円形や楕円の形状であってもよい。
【図面の簡単な説明】
【００１６】
【図１】本発明の一実施形態に係る紙葉類収容ポケットの正面図である。
【図２】図１に示す紙葉類収容ポケットの背面図である。
【図３】図１に示す紙葉類収容ポケットの展開図である。
【図４】紙葉類収容ポケットの第１の折り返し片部を表側シート部の裏面側に折り返した状態を示す図である。
【図５】紙葉類収容ポケットの裏側シート部を表側シート部の裏面側に折り返した状態を示す図である。
【図６】紙葉類収容ポケットに紙葉類を挿入する挿入方向を説明するための図である。
【図７】紙葉類収容ポケットの第２の折り返し片部を表側シート部の裏面側に折り返した状態を示す図である。
【図８】紙葉類が収容された紙葉類収容ポケットを一般書類と共にダイレクトメール用封筒に封入する場合を説明するための説明図である。
【図９】従来の紙葉類収容ポケットの一例を示す図で、（ａ）は正面図、（ｂ）は背面図である。
【符号の説明】
【００１７】
１０  紙葉類収容ポケット
１１  表側シート部
１１ａ，１１ｂ  長辺
１１ｃ，１１ｄ  短辺
１２  第１の折り返し片部
１３  第２の折り返し片部
１４  裏側シート部
１５  開口窓
１６  透明フィルム
１７  切欠部
１８  一般種類
１９  封筒
Ｐ  紙葉類
【図１】
2006069590.tif 000003
【図２】
2006069590.tif 000004
【図３】
2006069590.tif 000005
【図４】
2006069590.tif 000006
【図５】
2006069590.tif 000007
【図６】
2006069590.tif 000008
【図７】
2006069590.tif 000009
【図８】
2006069590.tif 000010
【図９】
2006069590.tif 000011